(57)【要約】【課題】ミラーやディスプレイ等を支持するハウジングを軽量化することにで、これまで設置できなかった場所への設置を実現する軽量ミラーサイネージを提供する。【解決手段】ハウジング１０内にディスプレイ装置２０を配置する。ディスプレイ装置２０の前面にミラーガラス３０を配置する。ディスプレイ装置２０の映像をミラーガラス３０の表面に表示する。ディスプレイ装置２０の背面に固定金具４０を固定する。固定金具４０にハウジング１０を連結する。ハウジング１０を合成樹脂材で形成する。ハウジング１０に連結金具１１を設ける。連結金具１１と固定金具４０とを連結する。ハウジング１０の前面側に係止部１２を形成する。係止部１２の内側にミラーガラス３０を当接する。係止部１２に係止したミラーガラス３０を固定体１３で固定する。【選択図】  図４
2020091344.tif 000002
【特許請求の範囲】
【請求項１】
ハウジング内に配置したディスプレイ装置の映像を、該ディスプレイ装置の前面に配置したミラーガラスの表面に表示するように構成されたミラーサイネージにおいて、ハウジングは合成樹脂材で形成されると共に、該ハウジングにハウジングを補強する連結金具を設け、該ハウジングと、ディスプレイ装置の背面に固定する固定金具とを連結自在に設けたことを特徴とする軽量ミラーサイネージ。
【請求項２】
前記ハウジングは、粒径幅０．６~１．２mmの原粒子を２０〜３０倍に発砲した発泡スチロールにて形成されると共に、該発泡スチロールで形成された前記ハウジングの表面に硬化剤を付着して前記ハウジングの表面を硬化した請求項１記載の軽量ミラーサイネージ。
【請求項３】
前記連結金具は、前記ハウジングの発泡成形時に前記ハウジングと一体に設けられ、前記連結金具の一部又は全体が前記ハウジング内に埋設された請求項１又は２記載の軽量ミラーサイネージ。
【請求項４】
前記ハウジングを形成する縦枠体と横枠体とが別々に形成され、これら縦枠体と横枠体とを連結して矩形状のハウジングを構成した請求項１乃至３いずれか記載の軽量ミラーサイネージ。
【請求項５】
前記ハウジングの前面側に係止部を突設し、該係止部に前記ミラーガラスの前面周囲を係止すると共に、ハウジング内に固定した固定体にて前記ミラーガラスの裏面を固定するように構成した請求項１乃至４いずれか記載の軽量ミラーサイネージ。
【発明の詳細な説明】
【技術分野】
【０００１】
本発明は、鏡の裏にディスプレイ装置を配置して鏡の表面にディスプレイ装置の映像を表示することができる軽量ミラーサイネージに関する。
【背景技術】
【０００２】
ミラーサイネージとは、ハウジング内にハーフミラーとディスプレイ装置とを設置し、ハーフミラーの後方に配置したディスプレイ装置に映像を表示すると、通常のミラーとして使用していたハーフミラーの表面にディスプレイ装置の映像が表示されるように構成した装置である。
【０００３】
既に、街頭の大型ビジョンや駅や空港、ショッピングモールなどで電子看板として使用されているデジタルサイネージの流れをくむ小型の情報発信装置ということができる。特に、ハーフミラーを使用することにより屋内での使用範囲が広がり、さまざまな場所で広告にとどまらない各種の情報を効果的に発信できるメディアとして期待されている。
【０００４】
特許文献１に記載のミラーサイネージ（薄型ディスプレイ装置）は、ディスプレイ装置を直立状態で固定するための方形枠をハウジングとして使用している。すなわち、この方形枠の前面をハーフミラーで閉鎖し、このハーフミラーの裏側に液晶ディスプレイ等のディスプレイ装置を設置するものである。更に、方形枠の背面を黒色遮蔽ボードにて閉鎖し、この黒色遮蔽ボードの中央部に４個のフックで液晶ディスプレイ等を固定してディスプレイ装置を構成したものである。
【０００５】
更に、このディスプレイ装置を方形枠の上面と下面との間に垂直に配置するため、ディスプレイ装置の上下に設けられた高さ調整脚を、方形枠の上面と下面とに突っ張り状態にして固定している。
【先行技術文献】
【特許文献】
【０００６】
【特許文献１】特許第５２３２８３９号公報
【発明の概要】
【発明が解決しようとする課題】
【０００７】
特許文献１に記載のミラーサイネージは、黒色遮蔽ボードの中央部に４個のフックでディスプレイ装置を固定するものであるから、この黒色遮蔽ボードは支持強度に優れた金属板等が使用される。更に、黒色遮蔽ボードに液晶ディスプレイ等を固定したディスプレイ装置を方形枠の上面と下面とに突っ張り状態にして固定するために、この方形フレームも必然的に支持強度の高い金属材等の材質が使用される。
【０００８】
このように、従来のミラーサイネージは、ハウジング等に金属材が多く使用されていることが多く、そのため、ミラーサイネージ全体の重量が極めて重くならざるを得ない状況であった。特に、ディスプレイ装置の画面サイズが大きくなるほどハウジングの重量も増大するため、ミラーサイネージの設置場所は、これらディスプレイ装置とハウジングとの全重量に耐え得る強度を有する場所に限定される不都合があった。
【０００９】
一方、このミラーサイネージは、屋内での使用においても、例えばビルのホール内や駅構内などで使用する場合はディスプレイの画面サイズが大きくなる傾向がある。しかも、使用する場所も更に多様化しており、例えば屋外での使用も可能になるミラーサイネージが望まれている。
【００１０】
そこで本発明は上述の課題を解消すべく創出されたもので、ハーフミラーやディスプレイ装置等を支持するハウジングを軽量化することで、これまで設置が困難であった様々な場所への設置を容易にする軽量ミラーサイネージの提供を目的とするものである。
【課題を解決するための手段】
【００１１】
上述の目的を達成すべく本発明における第１の手段は、ハウジング１０内に配置したディスプレイ装置２０の映像を、該ディスプレイ装置２０の前面に配置したミラーガラス３０の表面に表示するように構成されたミラーサイネージにおいて、ハウジング１０は合成樹脂材で形成されると共に、該ハウジング１０にハウジング１０を補強する連結金具１１を設け、該ハウジング１０と、ディスプレイ装置２０の背面に固定する固定金具４０とを連結自在に設けたものである。
【００１２】
第２の手段において、前記ハウジング１０は、粒径幅０．６~１．２mmの原粒子を２０〜３０倍に発砲した発泡スチロールにて形成されると共に、該発泡スチロールで形成された前記ハウジング１０の表面に硬化剤を付着して前記ハウジング１０の表面を硬化したものである。
【００１３】
第３の手段の前記連結金具１１は、前記ハウジング１０の発泡成形時に前記ハウジング１０と一体に設けられ、前記連結金具１１の一部又は全体が前記ハウジング１０内に埋設されたものである。
【００１４】
第４の手段は、前記ハウジング１０を形成する縦枠体１４と横枠体１５とが別々に形成され、これら縦枠体１４と横枠体１５とを連結して矩形状のハウジング１０を構成している。
【００１５】
第５の手段は、前記ハウジング１０の前面側に係止部１２を突設し、該係止部１２に前記ミラーガラス３０の前面周囲を係止すると共に、ハウジング１０内に固定した固定体１３にて前記ミラーガラス３０の裏面を固定するように構成したものである。
【発明の効果】
【００１６】
請求項１のように、ハウジング１０を合成樹脂材で形成することで、極めて軽量なミラーサイネージを提供することができる。この結果、従来では、ディスプレイ装置２０の画面サイズが大きくなるほどミラーサイネージの設置場所が限定されるといった不都合を解消することができる。しかも、合成樹脂材の使用でハウジング１０のデザインを極めて容易に変更できるので、例えば額縁状のハウジング１０を形成するなど、デザイン性に優れたミラーサイネージを提供することが可能である。
【００１７】
また、ハウジング１０を補強する連結金具１１とディスプレイ装置２０の背面に固定した固定金具４０とを連結しているので、ハウジング１０内にディスプレイ装置２０を確実に固定することができる。
【００１８】
請求項２のように、ハウジング１０は、粒径幅０．６~１．２mmの原粒子を２０〜３０倍に発砲した発泡スチロールにて形成されると共に、ハウジング１０の表面にウレタン樹脂製の硬化剤を塗布してハウジング１０を硬化しているので、ハウジング１０の強度が担保され、ディスプレイ装置２０やミラーガラス３０を確実に固定することができる。この結果、極めて軽量なミラーサイネージ用のハウジング１０を提供することができる。
【００１９】
しかも、表面に付着した硬化剤により、ハウジング１０表面を硬化しているので、ハウジング１０の耐候性や耐水性が高まり、ミラーサイネージを屋外に設置することも可能になる。
【００２０】
請求項３のごとく、連結金具１１は、ハウジング１０の発泡成形時にハウジング１０と一体に設けられ、連結金具１１の一部又は全体がハウジング１０内に埋設されることで、合成樹脂製のハウジング１０の支持強度を著しく高めることができる。
【００２１】
請求項４のように、ハウジング１０を形成する縦枠体１４と横枠体１５とが別々に形成され、これら縦枠体１４と横枠体１５とを連結して矩形状のハウジング１０を構成しているので、ハウジング１０の一体成型に比べて極めて低コストでの提供が可能になり、しかも輸送効率を高める効果もある。
【００２２】
請求項５のように、ハウジング１０の係止部１２にミラーガラス３０の前面周囲を係止して固定体１３にて固定するので、ハウジング１０がミラーガラス３０のクッション材としての機能を持ちながらミラーガラス３０を安全に固定することができる。この結果、仮に振動の多い駅構内などに設置する場合でも、外部の振動をハウジング１０が吸収してミラーガラス３０への悪影響を防止することができる。
【図面の簡単な説明】
【００２３】
【図１】本発明の一実施例を示す斜視図である。
【図２】本発明を分解した状態を示す側面図である。
【図３】本発明の一実施例を示す側断面図である。
【図４】本発明の要部を示す拡大断面図である。
【図５】本発明のハウジングの一実施例を示す背面図である。
【図６】本発明のハウジングを組立てる前の状態を示す平面図である。
【図７】本発明の縦枠体と横枠体と連結する一実施例を示す平面図である。
【図８】（イ）〜（ニ）は、本発明の固定金具の配置例を示す背面図である。
【発明を実施するための形態】
【００２４】
本発明は、ハウジング１０内に配置したディスプレイ装置２０の映像を、該ディスプレイ装置２０の前面に配したミラーガラス３０の表面に表示するように構成したミラーサイネージである（図１、図２参照）。
【００２５】
本発明では、ディスプレイ装置２０の背面に固定する固定金具４０と、該固定金具４０に連結するハウジング１０とでディスプレイ装置２０を固定する（図３参照）。
【００２６】
ハウジング１０は合成樹脂材で形成されている。すなわち、このハウジング１０は、粒径幅０．６~１．２mmの原粒子を２０〜３０倍に発砲した発泡スチロールにて形成されている。このように２０〜３０倍に発砲した発泡スチロールにて形成されたハウジング１０は、通常発泡の発泡スチロールに比べて腰が強く、曲げ強度や圧縮強度を高めることができる。
【００２７】
そして、この特殊な発砲スチロールで形成したハウジング１０の表面に硬化剤を塗布して表面を硬化すると、ハウジング１０の圧縮強度を更に高めることができる。したがって、ハウジング１０の表面を押しても簡単に凹むようなことがなくなり、ハウジング１０としての耐久性を確保できる。また、内部のクッション性でミラーガラス３０を保護することができる。尚、発砲スチロールの硬化剤として、主にウレタン樹脂製の硬化剤が使用される。
【００２８】
ハウジング１０には、更に、連結金具１１、係止部１２、固定体１３が設けられている（図４参照）。
【００２９】
連結金具１１はハウジング１０を補強すると共に、ハウジング１０と固定金具４０とを連結する部材である（図４、図５参照）。図示の連結金具１１は、ハウジング１０成形時にハウジング１０と一体に設けられている。そして、この連結金具１１は、一部又は全体がハウジング１０内に埋設された状態でハウジング１０と一体化している。
【００３０】
図示の連結金具１１は、帯状板を断面Ｓ字形状に屈曲した連結金具１１を示している（図４参照）。この連結金具１１は、ほぼ全体が埋設され、固定金具４０に連結する部位のみハウジング１０から表出したものである。図示例では、連結金具１１の一部に孔１１Ａを開けた連結金具１１を示している（図４参照）。この孔１１Ａは、合成樹脂材の成形と共に連結金具１１を埋設すると、この孔１１Ａまで合成樹脂材が充満して連結金具１１を強固に保持するものになる。特に、粒径幅０．６~１．２mmの原粒子を２０〜３０倍に発砲した発泡スチロールがこの孔１１Ａを介して連結金具１１を一体化すると、強力なハウジング１０が形成される。
【００３１】
また、連結金具１１の形状は、図示例に限られるものではなく、側面Ｌ字形状やＩ形状などの連結金具１１を使用して全体や半分の部位を埋設するなど、任意に変更することができる。更に、ハウジング１０に埋設する連結金具１１と共に、ハウジング１０の表面や連結金具１１に重ねる補強金具１７を用いることも可能である（図８（ロ）参照）。
【００３２】
係止部１２は、ハウジング１０の前面側に屈曲形成された部位で、この係止部１２の内側にミラーガラス３０の前面周囲を当接させるものである（図４参照）。一方、固定体１３は、この係止部１２に係止したミラーガラス３０の裏面に当接してミラーガラス３０をハウジング１０内に固定する部材である。
【００３３】
この固定体１３は、ゴム材の他、金属材など任意の材質を選択することができる。図示例では、この固定体１３をハウジング１０の内側面に接着した固定体１３を示しているが、固定体１３の固定手段は任意に変更することができる（図４参照）。
【００３４】
更にハウジング１０は、縦枠体１４と横枠体１５とを組み合わせて構成している。すなわち、これらの縦枠体１４及び横枠体１５は別々に形成され、これらを連結することで矩形状のハウジング１０を構成する（図６参照）。また、縦枠体１４と横枠体１５とをサイズ別に夫々形成し、これらを選択して連結することで各種の矩形状のハウジング１０を構成することも可能になる。
【００３５】
図示例では、縦枠体１４と横枠体１５とを継手１６で連結する。この継手１６は、蟻継ぎ形状の凸部１６Ａと凹部１６Ｂとを形成し、これらを嵌合する構成である（図７参照）。また、縦枠体１４と横枠体１５との連結手段は図示例に限られず、他の継手金具等を使用するなど、任意に変更することが可能である。
【００３６】
ディスプレイ装置２０は、液晶ディスプレイやプラズマディスプレイなど、薄型のディスプレイ装置が選択される。そして、このディスプレイ装置２０の背面に固定金具４０を固定する。図示例では、ディスプレイ装置２０側に配置する固定ナット４２と固定金具４０側に配置する固定ボルト４１とをネジ止めして固定している（図２、図３参照）。このようなディスプレイ装置２０の固定手段は、図示例に限られるものではない。
【００３７】
ミラーガラス３０は、ミラーサイネージ用のハーフミラーが使用される（図２参照）。図示例では、裏面に飛散防止用のフィルム３１が貼着されたミラーガラス３０を使用している（図４参照）。このようなミラーガラス３０を使用することで、仮にミラーガラス３０が破損した場合でも破片が飛散しないので使用時の安全性を高めることができる。
【００３８】
固定金具４０は、ディスプレイ装置２０の背面に固定する金具で（図２参照）、この固定金具４０をハウジング１０の連結金具１１に連結する（図８参照）。図示例では、矩形状の固定金具４０を、ハウジング１０の対向する連結金具１１に連結している（同図（イ）乃至（ハ）参照）。このとき、同図（ニ）は、変形した固定金具４０をハウジング１０の各連結金具１１に連結している。このように、固定金具４０と連結金具１１との連結は、用途に合わせて任意に変更することが可能になる。
【００３９】
更に、図８（ロ）は、ハウジング１０の連結金具１１相互を連結する略Ｌ字形状の補強金具１７を示している。この補強金具１７によって、連結金具１１と固定金具４０との連結強度を更に高めることも可能である。
【００４０】
尚、本発明の構成は図示例に限定されるものではなく、本発明の要旨を変更しない範囲で自由に設計変更することができる。
【符号の説明】
【００４１】
１０  ハウジング
１１  連結金具
１１Ａ  孔
１２  係止部
１３  固定体
１４  縦枠体
１５  横枠体
１６  継手
１６Ａ  凸部
１６Ｂ  凹部
１７  補強金具
２０  ディスプレイ装置
３０  ミラーガラス
３１  フィルム
４０  固定金具
４１  固定ボルト
４２  固定ナット
【図１】
2020091344.tif 000003
【図２】
2020091344.tif 000004
【図３】
2020091344.tif 000005
【図４】
2020091344.tif 000006
【図５】
2020091344.tif 000007
【図６】
2020091344.tif 000008
【図７】
2020091344.tif 000009
【図８】
2020091344.tif 000010